(57)【特許請求の範囲】
【請求項１】
透光性を有する生地で形成されて、裏面側からの光によって照明される車両用計器に用いられる文字板であって、
指針の回転範囲に対応するような円状又は円弧状であって、表面側に第１意匠を含む第１印刷層が形成された平面部と、
前記平面部の外側にリング状に連接され、外側に向かうにしたがって徐々に降下するような斜面状であって、第２意匠を含む第２印刷層が形成された斜面部と、
を有し、
前記平面部と前記斜面部の連接部である折曲部は、リング状に一定幅を残して透光性が保たれるように、前記第１印刷層及び前記第２印刷層が形成されている、
ことを特徴とする文字板。
【請求項２】
請求項１記載の文字板において、
前記折曲部の裏面側には、
透光性の着色層が形成されている、
ことを特徴とする文字板。
【請求項３】
請求項１又は請求項２記載の文字板を用いた車両用計器であって、
前記文字板の裏面側に配置され、光源からの光を前記文字板の裏面側に出射する導光板を有し、
前記導光板の一部は、前記折曲部の裏面側に空隙が保たれるような形状になっている、
ことを特徴とする車両用計器。
【請求項４】
請求項３記載の車両用計器において、
前記斜面部を照射照明するための他の光源を更に有する、
ことを特徴とする車両用計器。
【発明の詳細な説明】
【技術分野】
【０００１】
本発明は、文字板及びこれを用いた車両用計器に関し、特に、導光板が裏面に配置された文字板及びこれを用いた車両用計器に関する。
【背景技術】
【０００２】
従来、導光板が裏面に配置されてこの導光板を介して照明される文字板及びこれを用いた車両用計器が下記特許文献１にて提案されている。図７は、この種の従来の文字板及びこれを用いた車両用計器を示す正面図である。図８は、図７の要部断面図である。
【０００３】
図７に示すように、この種の車両用計器９は、例えば、スピードメータ部９ａ、燃料メータ部及び水温メータ部９ｂ、タコメータ部９ｃ等が一体化されたコンビネーションメータである。そして、文字板９１、指針９２、本体ケース９３や文字板９１の前方に覆設されるスモークガラス等を含んで構成される。この計器９は、本体ケース９３に収容された、図示しないモータ、電子基板、導光板、光源等も有する。
【０００４】
文字板９１には、タコメータ、スピードメータ、水温メータ、燃料メータ等の計数値に対応した目盛り意匠９１１及び数字意匠９１２、各種ウオーニング意匠、方向指示意匠、チェンジレバーポジション指示意匠等が形成されている。これらの意匠は、所定の数字やシンボルを中抜きにして、透明生地９１Ｂの文字板９１に、例えば、黒系統色のインク９１Ａを塗布することによって形成される。
【０００５】
また、文字板９１には、目盛り意匠９１１及び数字意匠９１２等を周回するように形成されたリング意匠９１３が形成されている。リング意匠９１３は、図８に示すように、土手状に隆起したリング状隆起部の頂上面に形成されている。リング意匠９１３は、透明生地の文字板９１に、例えば白系統色のインクを塗布することによって形成される。なお、文字板９１には、累積走行距離等をディジタル値で表示するオドメータ用の表示窓や図示しない指針軸孔等も形成されている。
【０００６】
文字板９１の裏面には、図８に示すように、文字板用光源９５からの光を導光して文字板９１を裏面側から照明する導光板９４が重着されている。導光板９４は、拡散板やプリズム状の導光板である。導光板９４は、文字板９１のリング状隆起部に沿って傾斜したリング状傾斜面を有している。
【０００７】
なお、本体ケース９３は樹脂製であり、モータ、光源、各種電子部品を搭載する電子基板を両面から挟み込むようにして収容する、表カバー及び裏カバーにより構成される。本体ケース９３の側壁には、ねじ孔を有する取付片が形成されている。
【０００８】
このような構成において、文字板用光源９５からの光は、導光板９４に受光されて、Ｒで示すように導光板９４内を外側に向かって進行する。これにより、文字板９１の裏面側に光が供給されて、文字板９１に形成された目盛り意匠９１１及び数字意匠９１２が照明される。更に、導光板９４内を進行して傾斜面に到達した光は、リング意匠９１３にも供給される。そして、リング意匠９１３をその塗装色に依存する色調で光輝させ、スモークガラスを透過して、ドライバ等のアイポイントに到達する。
【特許文献１】特開２００３−３１５１１０号公報
【発明の開示】
【発明が解決しようとする課題】
【０００９】
ところが、上記従来例によると、文字板とリング部材とを一体成形できるというメリットがあるが、装飾的な観点からすると、文字板とリング部材とを別体としたものと大差がなかった。また、文字板９１の裏面に導光板９４を密着させていたので、導光板９４からの出射光の影響が強すぎて照明輝度ムラが発生していた。
【００１０】
よって本発明は、上述した現状に鑑み、より斬新な照明が可能であり、且つ、照明輝度ムラを抑制することが可能な文字板及びこれを用いた車両用計器を提供することを課題としている。
【課題を解決するための手段】
【００１１】
上記課題を解決するためになされた請求項１記載の文字板は、透光性を有する生地で形成されて、裏面側からの光によって照明される車両用計器に用いられる文字板であって、指針の回転範囲に対応するような円状又は円弧状であって、表面側に第１意匠を含む第１印刷層が形成された平面部と、前記平面部の外側にリング状に連接され、外側に向かうにしたがって徐々に降下するような斜面状であって、第２意匠を含む第２印刷層が形成された斜面部と、を有し、前記平面部と前記斜面部の連接部である折曲部は、リング状に一定幅を残して透光性が保たれるように、前記第１印刷層及び前記第２印刷層が形成されている、ことを特徴とする。
【００１２】
請求項１記載の発明によれば、文字板の平面部と斜面部の連接部である折曲部は、リング状に一定幅を残して透光性が保たれるように、第１印刷層及び第２印刷層が形成されているので、この折曲部における一定幅の部分からリング状の光が出射される。
【００１３】
上記課題を解決するためになされた請求項２記載の文字板は、請求項１記載の文字板において、前記折曲部の裏面側には、透光性の着色層が形成されている、ことを特徴とする。
【００１４】
請求項２記載の発明によれば、折曲部の裏面側には、透光性の着色層が形成されているので、立体感や金属調エッジ感が強調される。
【００１５】
上記課題を解決するためになされた請求項３記載の車両用計器は、請求項１又は請求項２記載の文字板を用いた車両用計器であって、前記文字板の裏面側に配置され、光源からの光を前記文字板の裏面側に出射する導光板を有し、前記導光板の一部は、前記折曲部の裏面側に空隙が保たれるような形状になっている、ことを特徴とする。
【００１６】
請求項３記載の発明によれば、文字板の裏面側に光源からの光を文字板の裏面側に出射する導光板が配置され、この導光板の一部は文字板の折曲部の裏面側に空隙が保たれるような形状になっているので、照明輝度ムラが抑制される。
【００１７】
上記課題を解決するためになされた請求項４記載の車両用計器は、請求項３記載の車両用計器において、前記斜面部を照射照明するための他の光源を更に有する、ことを特徴とする。
【００１８】
請求項４記載の発明によれば、斜面部を照射照明するための光源によって、立体感や金属調エッジ感が強調される。
【発明の効果】
【００１９】
請求項１記載の発明によれば、文字板の平面部と斜面部の連接部である折曲部は、リング状に一定幅を残して透光性が保たれるように、第１印刷層及び第２印刷層が形成されている。よって、この折曲部における一定幅の部分からリング状の光が出射される。したがって、折曲部を有効利用することにより、特殊な意匠や印刷を施すことなく、立体感や金属調エッジ感が強調された斬新な照明が可能になる。
【００２０】
請求項２記載の発明によれば、折曲部の裏面側には、透光性の着色層が形成されている。したがって、立体感や金属調エッジ感がより強調された斬新な照明が可能になる。
【００２１】
請求項３記載の発明によれば、文字板の裏面側に光源からの光を文字板の裏面側に出射する導光板が配置され、この導光板の一部は文字板の折曲部の裏面側に空隙が保たれるような形状になっている。したがって、導光板からの出射光の影響を適度に軽減して照明輝度ムラを抑制することが可能になる。
【００２２】
請求項４記載の発明によれば、斜面部を照射照明するための他の光源を更に有する。したがって、より一層、立体感や金属調エッジ感がより強調された斬新な照明が可能になる。
【発明を実施するための最良の形態】
【００２３】
以下、本発明の実施の形態を図面に基づいて説明する。図１は、本発明の第１実施形態に係る文字板及び車両用計器を示す要部断面斜視図である。図２は、図１の拡大断面斜視図である。
【００２４】
図１に示す車両用計器１０は、図７に示したようなコンビネーションメータに類似しているが、文字板及び導光板の構成が大きく異なる。但し、指針式である点や基本的な指示動作は従来と同様であるので、ここでの詳細な説明は省略する。
【００２５】
図１及び図２に示すように、この実施形態の車両用計器１０は、文字板１、導光板２、ケース３、基板４及び光源５を含んで構成される。表ガラス、指針、モータ等の電子部品類は、省略している。文字板１は、例えば、透光性を有する生地で形成さたポリカーボネイト製であり、斜面部１１及び平面部１２から基本構成されている。
【００２６】
斜面部１１は、平面部１２の外側にリング状に連接され、外側に向かうにしたがって徐々に降下するような斜面状になっている。斜面部１１と平面部１２との連接部は折曲部１Ｅになっている。斜面部１１の表面側にはバー状の目盛り意匠１１Ａ（請求項の第２意匠に対応）を含む暗色系の印刷層１１Ｐ（請求項の第２印刷層に対応）が形成されている。詳しくは、斜面部１１は、暗色系の印刷層１１Ｐをベースとして、目盛り意匠１１Ａが中抜きされて形成されている。目盛り意匠１１Ａは例えば青色系印刷にて形成されている。
【００２７】
平面部１２は、図示しない指針の回転範囲に対応するような円状又は円弧状であって、表面側に数字意匠１２Ａ（請求項の第１意匠に対応）を含む暗色系の印刷層１２Ｐ（請求項の第１印刷層に対応）が形成されている。詳しくは、平面部１２は、暗色系の印刷層１２Ｐをベースとして、数字意匠１２Ａが中抜きされて形成されている。数字意匠１２Ａは例えば白色系印刷にて形成されている。
【００２８】
斜面部１１の印刷層１１Ｐと平面部１２の印刷層１２Ｐとは、リング状に一定幅を残して透光性が保たれるように形成されている。すなわち、斜面部１１と平面部１２との連接部である折曲部１Ｅは、リング状に一定幅を残して文字板生地の透光性が保たれるように、印刷層１１Ｐと印刷層１２Ｐとが形成されている。よって、この折曲部１Ｅの一定幅の部分からリング状の光が出射される。したがって、折曲部１Ｅを有効利用することにより、特殊な意匠や印刷を施すことなく、立体感や金属調エッジ感が強調された斬新な照明が可能になる。
【００２９】
また、導光板２は、樹脂製のプリズム状の板部材である。導光板２は、文字板１に準じた平面形状をしており、文字板１の裏面側に配置され、基板４上に配置された光源５からの光を文字板１の裏面側に出射する。導光板２の縁部は、上記折曲部１Ｅの裏面側に空隙Ｇが保たれるような形状になっている。例えば、図１及び図２に示すように、２段斜面でやや先細り形状になっている。この空隙Ｇによって、導光板２からの出射光が直接的に文字板１の裏面に与えられることがなくなるので、照明輝度ムラが抑制される。また、導光板２のこの縁部には、シボ模様２Ａ〜２Ｃが形成されている。これらシボ模様２Ａ〜２Ｃによって、照明輝度ムラが更に抑制される。
【００３０】
導光板２における中央部寄りには、光源５からの光を効率的に集光するための、受光部２１が設けられている。受光部２１は、光源５に近接し対向するように形成されている。導光板２は、ケース３の一部に保持されて、文字板１の裏面側に配置されている。
【００３１】
なお、ケース３は、樹脂製であり、本車両用計器１０の外形を構成すると共にモータ（不図示）、光源５、各種電子部品を搭載する基板４等を収容する。また、光源５には例えばＬＥＤ（発光ダイオード）が使用されている。
【００３２】
続いて、図３を加えて、このような構成の文字板及び車両用計器における作用について説明する。図３は、本発明の第１実施形態に係る文字板及び車両用計器における作用を説明するための図である。なお、図３は図１の断面斜視図に準ずる断面形状を示している。
【００３３】
光源５からの光は、受光部２１に入った後、図３に示すように、導光板２の内壁を繰り返し反射しつつ、また、直線的に導光板２内を縁部に向かって進行していく。そして、シボ模様２Ａ〜２Ｃによって、拡散されて導光板２から出射していく。導光板２からの出射光の一部は斜面部１１を裏面から照明し、他の一部は平面部１２を裏面から照明する。更に、導光板２からの出射光の他の一部は、図中Ｒで示すように、折曲部１Ｅに向かって印刷層１１Ｐ及び１２Ｐの間の一定幅の部分からリング状の光となって文字板１をドライバ視点側に抜ける。このような作用によって、特殊な意匠や印刷を施すことなく、立体感や金属調エッジ感が強調された斬新な照明が可能になる。
【００３４】
続いて、図４〜図６を用いて、本発明の他の実施形態について説明する。図４は、本発明の第２実施形態に係る文字板及び車両用計器を示す要部断面斜視図である。図５は、本発明の第３実施形態に係る文字板及び車両用計器を示す要部断面斜視図である。図６（Ａ）及び図６（Ｂ）は、本発明の第４実施形態に係る文字板及び車両用計器を示す要部断面斜視図である。なお、第２〜第４実施形態において、上記第１実施形態と共通する部分には、同一の符号を付し、重複する説明は省略する。
【００３５】
図４に示すように、第２実施形態においては、第１実施形態の導光板２に替えて、下面に反射面２１′が形成された導光板２′を配置している。また、補助の光源５′を付加している。
【００３６】
このような構成において、光源５、５′からの光は、導光板２′の内壁を繰り返し反射しつつ、また、直線的に導光板２′内を縁部に向かって進行していき、斜面部１１及び平面部１２を裏面から照明する。また、導光板２′からの出射光の一部は、図中Ｒで示すように、反射面２１′で反射されて、折曲部１Ｅに向かって印刷層１１Ｐ及び１２Ｐの間の一定幅の部分からリング状の光となって文字板１をドライバ視点側に抜ける。このような作用によって、より一層立体感や金属調エッジ感が強調された斬新な照明が可能になる。特に、反射光が折曲部１Ｅに指向するような反射面２１′によって、より効率的に、折曲部１Ｅの近傍をリング状に照明することができる。
【００３７】
また、図５に示すように、第３実施形態においては、第１実施形態の導光板２に替えて、下面に凹部２２を設けて調光用印刷層２３が形成された導光板２″を配置している。また、専用の光源５″を付加している。
【００３８】
このような構成において、光源５からの光は、上述したように導光板２″の内壁を繰り返し反射しつつ、また、直線的に導光板２″内を縁部に向かって進行していき、斜面部１１及び平面部１２を裏面から照明する。また、導光板２″からの出射光の一部は、折曲部１Ｅに向かって印刷層１１Ｐ及び１２Ｐの間の一定幅の部分からリング状の光となって文字板１をドライバ視点側に抜ける。これに加えて、専用の光源５″からの光は、図中Ｒで示すように、直接的に、折曲部１Ｅに向かって印刷層１１Ｐ及び１２Ｐの間の一定幅の部分からリング状の光となって文字板１をドライバ視点側に抜ける。このような作用によって、より一層、立体感や金属調エッジ感が強調された斬新な照明が可能になる。
【００３９】
更に、図６（Ａ）及び図６（Ｂ）に示すように、第４実施形態においては、第１実施形態の文字板１の折曲部１Ｅの裏面側に透光性の着色層１Ｐが形成されている。また、斜面部１１を集中的に照射照明するための他の光源５Ｘを更に配置している。更に、印刷層１２Ｐ、１１Ｐ、着色層１Ｐの順に淡くしている。特に、着色層１Ｐはできる限り淡い色を用いるようにしている。
【００４０】
このような構成において、光源５からの光は、上述したように導光板２の内壁を繰り返し反射しつつ、また、直線的に導光板２内を縁部に向かって進行していき、斜面部１１及び平面部１２を裏面から照明する。また、導光板２からの出射光の一部は、折曲部１Ｅに向かって着色層１Ｐを介して印刷層１１Ｐ及び１２Ｐの間の一定幅の部分からリング状の光となって文字板１をドライバ視点側に抜ける。更に、光源５Ｘからの光は斜面部１１を照射する。この照射と上記各層の濃淡差と複合によって、より一層、立体感や金属調エッジ感が強調された斬新な照明が可能になる。
【００４１】
以上説明したように、本発明の実施形態によれば、文字板１の折曲部１Ｅにおける一定幅の部分からリング状の光が出射される。したがって、折曲部１Ｅを有効利用することにより、特殊な意匠や印刷を施すことなく、立体感や金属調エッジ感が強調された斬新な照明が可能になる。また、導光板２の一部は文字板１の折曲部１Ｅの裏面側に空隙Ｇが保たれるような形状になっている。したがって、導光板２からの出射光の影響を適度に軽減して照明輝度ムラを抑制することが可能になる。
【００４２】
なお、上記第２〜第４実施形態においても第１実施形態と同様に、導光板にシボ模様を形成してもよい。また、第１実施形態の導光板に第４実施形態と同様の着色層を形成してもよい。
【図面の簡単な説明】
【００４３】
【図１】本発明の第１実施形態に係る文字板及び車両用計器を示す要部断面斜視図である。
【図２】図１の拡大断面斜視図である。
【図３】本発明の第１実施形態に係る文字板及び車両用計器における作用を説明するための図である。
【図４】本発明の第２実施形態に係る文字板及び車両用計器を示す要部断面斜視図である。
【図５】本発明の第３実施形態に係る文字板及び車両用計器を示す要部断面斜視図である。
【図６】図６（Ａ）及び図６（Ｂ）は、本発明の第４実施形態に係る文字板及び車両用計器を示す要部断面斜視図である。
【図７】この種の従来の文字板及びこれを用いた車両用計器を示す正面図である。
【図８】図７の要部断面図である。
【符号の説明】
【００４４】
１  文字板
２  導光板
３  ケース
４  基板
１０  車両用計器
１１  斜面部
１２  平面部
１Ｅ  折曲部
２Ａ〜２Ｃ  シボ模様
【図１】
0004654091.tif 000002
【図２】
0004654091.tif 000003
【図３】
0004654091.tif 000004
【図４】
0004654091.tif 000005
【図５】
0004654091.tif 000006
【図６】
0004654091.tif 000007
【図７】
0004654091.tif 000008
【図８】
0004654091.tif 000009